(57)【要約】  本発明は、スライドレール（１２）と、前記スライドレール（１２）上を可動するスライドアーム（４８）と、金属材料製で、前記スライドレール（１２）上に固定的に配置された固定アーム（２２）と、前記固定アーム（２２）に配置された、加工品のための圧力片（４２）とを有するクランプに関する。前記スライドレールと前記固定クランプは、単一部品として一体に結合され、前記圧力片は固定クランプとは別部品で、該固定クランプに凸または凹嵌合で固定されている。
2011524813.tif 000002
【特許請求の範囲】
【請求項１】
スライドレール（１２）と、前記スライドレール（１２）上を可動するスライドアーム（４８）と、金属材料製で、前記スライドレール（１２）上に固定的に配置された固定アーム（２２）と、前記固定アーム（２２）に配置された、加工品のための圧力片（４２；７８）とを有し、前記スライドレール（１２）と前記固定アーム（２２）は、一体に結合されたクランプであって、前記圧力片（４２；７８）は、前記固定アーム（２２）とは分離された部品であり、形状ロックおよび／または圧力ロックによる嵌合によって前記固定アーム（２２）に保持されたことを特徴とするクランプ。
【請求項２】
前記圧力片（４２；７８）は、圧入によって、前記固定アーム（２２）に保持されたことを特徴とする請求項１のクランプ。
【請求項３】
前記圧力片（４２；７８）は、ロックによる接続またはピンによる接続またはネジによる接続によって、前記固定アーム（２２）に保持されることを特徴とする請求項１のクランプ。
【請求項４】
前記圧力片（４２；７８）は、前期固定アーム（２２）が、構造的に変化する方法で加熱されることを必要としない方法で、前記固定アーム（２２）に保持されることを特徴とする前記請求項のうちの一つのクランプ。
【請求項５】
前記固定アーム（２２）は、曲げ加工によって、前記スライドレール（１２）上に形成されることを特徴とする前記請求項のうちの一つのクランプ。
【請求項６】
前記固定クランプ（２２）は、凸状にカーブした外側面（２４）と、凹状にカーブした内側面（２６）を有することを特徴とする前記請求項のうちの一つのクランプ。
【請求項７】
前記外側面（２４）と前記内側面（２６）は互いに平行であることを特徴とする請求項６のクランプ。
【請求項８】
前記固定クランプ（２２）の前記凸状にカーブした外側面（２４）は、接線方向に前記スライドレール（１２）と合流することを特徴とする請求項６または７のクランプ。
【請求項９】
前記固定クランプ（２２）の前記凹状にカーブした内側面（２６）は、接線方向に前記スライドレール（１２）と合流することを特徴とする請求項６乃至８のクランプ。
【請求項１０】
前記固定アーム（２２）は、リング部分の形状をしている少なくとも一つの領域（２８）を有することを特徴とする請求項６乃至９のクランプ。
【請求項１１】
前記スライドレール（１２）はまっすぐであることを特徴とする前記請求項のうちの一つのクランプ。
【請求項１２】
前記スライドレール（１２）と前記固定アーム（２２）の組合せは、冷間成形によって形成されることを特徴とする前記請求項のうちの一つのクランプ。
【請求項１３】
前記スライドレール（１２）の上部外皮面（３６）と前記固定アーム（２２）の上部外皮面は一致することを特徴とする前記請求項のうちの一つのクランプ。
【請求項１４】
前記固定アーム（２２）の下部外皮面と、前記スライドレール（１２）の下部外皮面（３８）は一致することを特徴とする前記請求項のうちの一つのクランプ。
【請求項１５】
前記固定アーム（２２）上の前記圧力片（４２；７８）のカウンター圧力片（７４）と中心が一致するクランプ装置（７２）は、前記スライドアーム（４８）の上に位置していることを特長とするクランプ。
【請求項１６】
前記圧力片（４２；７８）と前記カウンター圧力片（６４）は、加工品のために実質的に平行な接触表面（４４、６６；４４、９０）を有していることを特徴とする請求項１５のクランプ。
【請求項１７】
前記クランプ装置（７２）は、前記スライドアーム（４８）のネジ山（５６）にガイドされたクランプネジ（５８）を有していることを特徴とする請求項１５または１６のクランプ。
【請求項１８】
前記クランプネジ（５８）の回転軸（６２）は、前記圧力片（４２；７８）に接触することを特徴とする請求項１７のクランプ。
【請求項１９】
前記圧力片（４２；７８）は、接触領域（７４；８４）と、前記固定アーム（２２）に保持するための保持領域（４１；８０）を有することを特徴とする前記請求項のうちの一つのクランプ。
【請求項２０】
前記圧力片（４２；７８）は、固定アーム保持領域（４０）のための受入スペース（４６；８２）を有したキャップの形状をしていることを特徴とする前記請求項のうちの一つのクランプ。
【請求項２１】
前記圧力片（４２；７８）は、前記スライドレール（１２）の近くに、あるいは前記スライドレール（１２）まで、あるいは前記スライドレール（１２）の近くの前記固定アーム（２２）の一領域の中に延在する接触領域（８１）を有することを特徴とする前記請求項のうちの一つのクランプ。
【請求項２２】
前記接触領域（８４）は、前記スライドレール（１２）または前記スライドレール（１２）の近くの前記固定アーム（２２）の前記領域に保持されていることを特徴とする請求項２１のクランプ。
【請求項２３】
前記保持は、形状ロックおよび／または圧力ロックであることを特徴とする請求項２２のクランプ。
【請求項２４】
前記スライドレールと前記固定アームの母材は冷間成形によって形成され、前記固定アームは前記母材の上に曲げ加工によって形成され、圧力片は形状ロックまたは圧力ロックによる嵌合によって前記固定アームに保持されることを特徴とする前記請求項のうちの一つのクランプの製造方法。
【発明の詳細な説明】
【技術分野】
【０００１】
本発明は、金属材料から作られるスライドレールと、スライドレールの上を可動するスライドアームと、スライドレールの上に固定して配置された金属材料から作られた固定アームと、固定アームの上に配置された加工品に対する圧力片から成るクランプであって、そのスライドレールと固定アームは、一体に結合されているところのクランプに関する。加えて、本発明は、クランプの製造方法に関する。
【背景技術】
【０００２】
ベッセイ社（ＢＥＳＳＥＹ  Ｔｏｏｌ  ＧｍｂＨ  ＆  Ｃｏ．ＫＧ）はエルエム（ＬＭ）の名称で複数のネジクランプを流通させている。これらはスライドレールと固定アームを有している。固定アームはスライドレールとは分離した構造部材で、スライドレールに対して圧接して保持されている。
【０００３】
加えて、ベッセイ社は、加熱成形によって形成された、スライドアームと、固定アームと、圧力片の一体成形の組合せを有するジーゼット（ＧＺ）の名称のすべてスチール製のネジクランプを流通させている。
【０００４】
その一つのクランプはドイツ特許番号ＤＥ  １００  ０５  ３５０  Ａ１として公知で、このクランプはクランプ機構を支えるスライドアームをガイドするためのレールと、同一の材料で同一の輪郭を持って一体的に形成された固定アームを有しており、レールと固定アームは、曲がった肘部品によってお互いに接続されていて、実質的に互いに直角に延在している。
【０００５】
加工品をクランプするＣ字形状のクランプは、ドイツ特許番号ＤＥ  ４２  ３６  ０４９  Ａ１によって公知であり、Ｃ字形状のクランプバーと、クランプバーの一端に配置されたスピンドルナットと、スピンドルナットの中に配置されたクランプ用スピンドルと、クランプバーの下端に配置されたサポートを有している。クランプバーは、Ｃ字形状のクランプのための連続的に調整可能な付加的要素をガイドするためのガイド面を有するガイド部分を有している。
【０００６】
平らな表面をクランプするネジクランプは、ヨーロッパ特許番号  ＥＰ  ０  ０７０  ４００  Ａ２によって公知であり、ガイドレールを有しており、そのガイドレールの上に、ガイドレールに向かって横方向に延在する固定クランプが配置されており、また前記固定クランプに対してほぼ平行なスライドクランプが可動的にガイドされている。 ガイドレールに対してほぼ平行に設けられたネジスピンドルのための雌ネジが、二つのクランプ部品のうちの第一のクランプに設けられている。加えて、二つのクランプ用表面シューが設けられていて、そのうちの一つは二つのクランプ部品のうちの第二の部品に配置されており、もう一つは、板状のキャップに配置されている。特に、板状のキャップは、ネジスピンドルの上に回転可能に設けられていて、相対するクランプ用表面を有し、また二つのクランプ部品の平面に対して垂直である軸を中心に傾斜可能である。
【０００７】
更に、クランプはフランス特許番号  ＦＲ１  ０７０  １９３や米国特許番号  ＵＳ２，８１５，７７８によって公知である。
【発明の開示】
【発明が解決しようとする課題】
【０００８】
本発明の目的は、簡単な方法で製造出来る上記タイプのクランプを提供することである。
【課題を解決するための手段】
【０００９】
この目的は上記クランプを有する本発明によって、圧力片が固定アームとは分離した部品であって、固定アームに対する形状ロックおよび／または圧力ロックによる嵌合によって保持されることによって達成される。
【００１０】
スライドレールは、低温延伸または低温圧延などの冷間成形によって、連続した板状材料から固定アームと共に輪郭切断されて形成され得る。冷間成形された材料は、自然な状態の材料と比較して実質的に増大された強度を有する。もし、スライドレールと固定アームが一体的に結合していれば、この対応する組合せは曲げ加工による簡単な方法で形成することが出来る。
【００１１】
基本的には、冷間成形で製造した加工品に対して材料変形を行うために加熱すると、強度の退行と共に好ましくない構造上の変化が発生する。本発明による解決方法では、その様な構造上の変化を防止するために、加工品に対して作用する圧力片は、続いて、固定アームに配置されて、それ故に、固定アーム上に一体的に形成されていない。その結果、固定アームとスライドレールの加熱は必要なく、そのため、同様に、強度のロスを伴った構造的な変化も起こらない。
【００１２】
一つ以上の加工品がクランプされている間、圧力片には実質的に圧縮力だけが掛かっている。固定アームにはその強い力が掛かっており、特に、張力と曲げ力が掛かっている。最適化された力の分散の条件下での高い安定性は、スライドレールに一体的に保持されていることが原因である。
【発明の効果】
【００１３】
本発明によれば、簡単で安価な方法で製造出来るクランプが提供される。
【００１４】
実施態様によれば、圧力片は、圧入によって固定アームに保持される。その結果、圧力片は簡単に保持することが出来、一体的に強固に保持することが出来る。
【００１５】
例えば、圧力片は、ロックまたはピンまたはネジ結合によって、特に、正の嵌合によって、固定アームに保持することが可能である。
【００１６】
もし、固定アームを、構造的に変化する方法で加熱する必要がない製造方法で圧力片を固定アームに保持する場合にはとりわけ有益である。これによって、本発明のクランプは、簡単な方法で製造され得る。
【００１７】
固定アームが曲げ加工によってスライドレールに形成される場合も有益である。スライドレールに対して横方向に曲がりを有して位置している固定アームは、対応する（特に、既に輪郭切断された）母材から、曲げ機によって形成することが出来る。その結果、分離して形成された固定アームを、次の段階として、スライドレールに実質的に保持する必要が無くなる。
【００１８】
特に、固定アームは、凸状にカーブした外側面と、凹状にカーブした内側面を有している。そのような固定アームは、簡単な方法で、輪郭切断したレール上に形成することが出来、実質的に真直ぐなスライドレールと、カーブしている固定アームはその輪郭切断したレール上に形成することが出来る。
【００１９】
特に、外側面と内側面は互いに平行である。この結果、簡単に製造することが出来る。そのようなスライドレールを固定したアームの組合せは、真直ぐなレールから形成することが出来、その真直ぐなレールは冷間成形によって形成され、対応する輪郭を有する。
【００２０】
加えて、固定アームの凸状にカーブした外側面が、スライドレールと接線方向に合流し、固定アームの凹状にカーブした内側面がスライドレールと接線方向に合流することは好ましい。これによって、角やエッジも無い“スムース”な遷移が生まれる。および、このために、力の最適化された流れが可能になる。
【００２１】
実施態様によれば、固定アームは少なくとも、（円形の）リング部分形状の一領域を有している。この結果、曲げ機で曲げ加工することによって、簡単な方法で、固定アームを形成することが可能になる。
【００２２】
特に、スライドレールは直線形状である。このため、スライドアームは、スライドレールにガイドされることが可能になる。
【００２３】
スライドレールと固定アームの組合せが、冷間成形で形成されることは有益である。例えば、固定アームが後に曲げ加工によって形成されるところの対応する輪郭を有する棒は、連続する帯状材料（例えば、スチールの帯状材料）を冷間圧延するかまたは冷間延伸することによって形成される。
【００２４】
特に、スライドレールの上部外皮面と固定アームの上部外皮面は一致する。更に、特に、スライドレールの下部外皮面と固定アームの下部外皮面は一致する。固定アームは、平面を曲げ加工することによってスライドレール上に形成することが出来る。
【００２５】
特に、固定アームの圧力片上のカウンター圧力片と中心が一致するクランプ装置が、スライドクランプ上に位置している。これによって、一つ以上の加工品を圧力片とカウンター圧力片の間にクランプすることが可能となる。
【００２６】
次に、圧力片とカウンター圧力片が、確定的なクランプを可能にするために、加工品のための実質的に平行な接触表面を有することは好ましいことである。
【００２７】
実施態様によれば、クランプ装置は、スライドアームのネジ山にガイドされる（少なくとも）一つのクランプネジを有している。圧力片とカウンター圧力片の間に一つ以上の加工品をクランプする時、スライドアームは、スライドレール上において傾けることによって保持することが可能である。対応するクランプ力は、クランプネジによって発揮することが出来る。偏心クランプやレバークランプなどのクランプ装置のその他の形態も可能である。
【００２８】
特に、クランプネジの回転軸は圧力片に接触する。この結果、回転方向と同軸の力の方向に好ましい力が発揮されるようになる。
【００２９】
圧力片は、加工品のための接触表面を有する接触領域と、固定アームに保持するための保持領域を有することが好ましい。圧力片は、保持領域によって、固定アームに接続されている。接触領域は、加工品のための接触表面を提供する。
【００３０】
例えば、圧力片は、固定アーム領域の受入スペースを有するキャップの形状をしている。圧力片は、受入スペースによって、固定アームに取り付けることが出来、保持領域への形状ロックおよび／または圧力ロックによる嵌合によって圧力片を保持するために、この受入スペースを使用して圧入することが出来る。対応した大きさの“内側”接触表面が、圧力片の保持領域への圧入嵌合のために提供される。
【００３１】
圧力片は、保持領域だけで、あるいはネジの様な形状ロック要素によっても保持することが可能である。ロックやピンの接合の様な形状ロックのその他の可能性も存在する。
【００３２】
例示的実施態様に於いて、圧力片は、スライドレールの近くに、またはスライドレールまで、またはスライドレールの近くの固定アームの領域に延材している接触領域を有する。この結果、拡張された接触領域が提供される。圧力片は保持領域から分離しているので、圧力片の接触表面は、固定アームの形状に追従する必要がない。このことは、接触表面のサイズを大きくするために利用することが出来る。
【００３３】
例示的実施態様においては、接触領域は、スライドレールまたはスライドレールの近くの固定アーム領域に保持される。この結果、安定性が増す。
【００３４】
特に、その固定は、形状ロックおよび／または圧力ロックであり、従って、固定具のために構造を変化させる（それ故に、強度を低下させる）加熱を必要としない。
【００３５】
本発明の更なる目的は、簡単な方法で実施できるクランプの製造方法を提供することである。
【００３６】
この目的は、スライドレールと固定アームのための母材が冷間成形によって形成され、固定アームが、曲げ加工によってその母材の上に形成され、圧力片が形状ロックおよび／または圧力ロックによる嵌合によって保持されることによって、本発明によって達成される。
【００３７】
本発明による方法は、本発明によるクランプの関連で既に説明した利点を有している。
【００３８】
スライドレールの対応する（目的の）輪郭を有する輪郭レールは、冷間成形（特に、冷間延伸または冷間圧延）によって、連続材料から形成することが出来る。固定アームは、曲げ加工、特に、曲げ機によって、その様な輪郭レールの上に形成される。固定アームに接する加工品に対する必要な接触表面は、圧力片を保持することによって得られる。
【００３９】
好ましい実施形態に関する以下の記述は、次に掲げる図面と共に、本発明を更に詳しく説明することが目的である。
【図面の簡単な説明】
【００４０】
【図１】本発明によるクランプの第一の例示的実施態様の斜視図である。
【図２】図１によるクランプの平面図である。
【図３】図２によるクランプのＡの方向からの図である。
【図４】図２によるクランプのＢの方向からの図である。
【図５】本発明によるクランプの第二の例示的実施態様の斜視図である。
【図６】図５によるクランプの平面図である。
【図７】図６によるクランプのＢの方向からの図である。
【発明を実施するための最良の形態】
【００４１】
図１乃至４に示し、参照番号１０を付与された本発明のクランプの例示的実施態様はネジクランプである。ネジクランプ１０は、スライドレール１２から成る。スライドレール１２は、例えば、スチールのような金属材料から形成される。スライドレールは、縦方向１４（図２）にまっすぐに延在している。スライドレール１２の外側面１６と内側面１８は、互いに平行であって、縦方向１４と平行である。
【００４２】
スライドレール１２は輪郭切断される。スライドレールは、外側面１６の領域と、内側面１８の領域に、例えば、それぞれの細い襞２０を有している。
【００４３】
クランプ中に加工品に作用する固定アーム２２は、スライドレール１２に一体的に結合している。固定アーム２２は、スライドレール１２上の片持ちアームである。この固定アーム２２は、スライドレール１２の外側面１６と内側面１８を超えて横方向に突出している。固定アーム２２それ自体は、凸状の外側面２４を有しているが、この凸状外側面は接線方向にスライドレール１２の外側面１６に合流している。加えて、固定アーム２２は、凹状の内側面２６を有し、この凹状内側面は、接線方向にスライドレール１２の内側面１８に合流している。
【００４４】
固定アーム２２は、スライドレール１２を曲げ加工することによって形成される。直線形状のスライドレールと固定アームから成る輪郭切断された母材は、曲げ機によって曲げ成形して、凸状外側面２４と凹状内側面２６を有する固定アーム２２を形成する。
【００４５】
固定アーム２２は、例えば、円形リング状部分２８を有している。その他のカーブ状形状も可能である。
【００４６】
図示した例示的実施態様では、固定アーム２２は、面端部３０を有している。この面端部は、スライドレール１２の面端部３２と同様の断面形状を有している。固定アーム２２の面端部３０は、スライドレール１２の縦方向１４に対してある角度を持つように設定されていて、その角度は、例えば、ほぼ７０度である。この角度は、図２においては参照番号３４によって示されている。
【００４７】
固定アーム２２がリング部分の形状の場合、その角度３４は、固定アームが円形リングの部分の形状の場合、固定アーム２２がその上に延在する角状の領域と実質的に対応している。 
【００４８】
スライドレール１２は、上部外皮面３６と下部外皮面３８（図３）を有している。この二つの外皮面３６と３８は実質的に互いに平行である。外側面１６と内側面１８は、上部外皮面３６と外皮面３８に対して横断的に、特に、垂直に位置している。固定アーム２２の対応する上部外皮面は、上部外皮面３６と一致し、固定アーム２２の対応する下部外皮面は、スライドレール１２の下部外皮面３８と一致する。
【００４９】
一体的に結合している輪郭切断されたスライドレール１２と固定アーム２２の組合せは、金属材料を冷間成形によって、特に、冷間延伸または冷間圧延によって形成される。
【００５０】
例えば、スライドレール１２と固定アーム２２の組合せは、固定アーム２２を曲げ加工する前に、冷間延伸または冷間圧延によって、連続した帯状材料から輪郭切断によって形成される。この組合せの材料は、歪み硬化される。固定アーム２２は、固定アーム２２がそのサイズに切断される前または後に、曲げ加工によって、スライドレール１２の凸状外側面２４と凹状内側面２６を有して形成される。曲率は、“冷間”曲げ加工が、材料を加熱しないで、曲げ機で可能である方法で選択される。
【００５１】
圧力要素４２は、固定アーム２２の保持領域４０（図２）に設置され、その圧力要素４２は、圧力片４２の保持領域４１によって、固定アーム２２の保持領域４０に保持される。保持領域４０は、固定アーム２２の端部３０によって範囲が定められる。
【００５２】
圧力片４２は、加工品に対する接触表面４４を有している。この接触表面４４は連続的に結合されている。接触表面４４は、複数部分から構成することも出来る。この接触表面は、縦方向１４に対して（及び、スライドレール１２に対して）横断的であり、特に、少なくともほぼ垂直に設定されている。
【００５３】
圧力片４２は、固定アーム２２とは分離した要素であり、後で固定アームに保持される。固定は、固定アーム２２の加熱を必要としない方法で行われる。そのような加熱は、歪み硬化によって製造された固定アーム２２（および、スライドレール１２）の構造上の変化につながる可能性がある。
【００５４】
圧力片４２は、例えば、金属材料または塑性材料から形成することが出来る。
【００５５】
圧力片４２は、圧力ロックおよび／または形状ロックによって、固定アーム２２に保持される。
【００５６】
例示的実施態様によれば、圧力片４２は、保持領域４１に受入スペース４６を有している。受入スペースによって、圧力片４２は、固定アーム２２の保持領域４０に設置され（特に、圧入され）、この受入スペースによって、取り外し不能に圧入される。
【００５７】
圧力片４２は、特に、キャップの形状をしている。圧力片４２は、ネジクランプ１０の製造中に、受入スペース４６を使用して、固定アーム２２に設置することが出来る。
【００５８】
圧力片４２を固定アーム２２に保持するためのそれ以外の可能性は存在する。例えば、圧力片４２は、ロックや、ピンあるいはネジ結合によって、固定アーム２２に形状ロック嵌合によって保持される。
【００５９】
スライドアーム４８は、スライドレール１２に配置される。このスライドアームは、凹部５２を有するスライド領域５０から成っている。スライドレール１２は、この凹部５２に通される。
【００６０】
加えて、スライドアーム４８は、ネジ領域５４を有す。このネジ領域５４は、ネジ山５６を有しており、それによって、クランプ用ネジ５８をガイドする。クランプ用ネジ５８は、把持要素６０に保持されている。把持要素６０は、手で保持するために形成される。クランプ用ネジ５８は、把持要素６０を回転させることによって、回転軸６２の周りを回転するようになっている。この場合、回転する方向によって、クランプ用ネジの前端に位置するカウンター圧力片６４は、圧力片４２に向かって、あるいはそれから離れるように移動する。
【００６１】
カウンター圧力片６４は、スライドレール１２に対して横断的および、特に、実質的に垂直的に（スライドレールの縦方向１４に）位置している、加工品に対する接触表面６６を有している。特に、接触表面６６は、圧力片４２の接触表面４４に対して実質的に平行に調整されている。
【００６２】
カウンター圧力片６４は、クランプ用ネジ５８上をある範囲で枢動するように取り付けることが出来る。例えば、このカウンター圧力片のために、あるタイプの球状取り付けを設置することが出来る。
【００６３】
スライドアーム４８は、加えて、スライド領域５０とネジ領域５４の間にブリッジ領域６８を有している。ブリッジ領域６８は、スライド領域５０とネジ領域５４と共に、例えば、固定アーム２２に対面しており、スライドレール１２に対して少なくともほぼ垂直に位置している平らな側面７０を有している。ブリッジ領域６８は、この固定アームから離れた側面で、スライドレール１２に対して（さらにスライドレールの縦方向１４に対して）、例えば、約１７０度の角度に設定された側面７１を有している。
【００６４】
スライドアーム４８の凹部５２は、スライドアーム４８が襞２０を有しているスライドレール１２上で傾斜可能な寸法になっている。この結果、一つ以上の加工品を、圧力片４２とカウンター圧力片６４の間に、クランプ用ネジ５８を締めることによってクランプすることが出来る。
【００６５】
回転軸６２は、圧力要素４２の接触表面４４に接触する。
【００６６】
本発明によれば、簡単な方法で製造可能なクランプ１０が提供される。曲がっている固定アーム２２は、スライドレール１２と一体で配置されている。対応する輪郭切断された母材は冷間成形によって簡単な方法で形成することが出来、固定アーム２２は曲げ加工によってよって形成する。固定アームをスライドレール１２に接続する作業はない。接続領域は、根本的に、負荷を掛けた時、危険な領域である。そのような危険領域を、本発明による解決法によって避けている。
【００６７】
固定アーム２２の一つ以上の加工品のための接触表面４４は、圧力片４２によって提供される。圧力片４２は、固定アーム２２とは分離した要素であって、後で、固定アームに保持される。この結果、十分に大きく平らな接触表面４４が提供される。接触表面４４を形成するのに、固定アーム２２の加熱は必要ない。そのような加熱は、冷間成形した固定アーム２２の場合には、好ましくない構造上の変化につながる可能性がある。
【００６８】
圧力片４２は、加工品が、クランプ用ネジ５８とカウンター圧力片６４から成るクランプ装置７２と、圧力片４２にクランプされた時、実質的に、圧縮力だけを吸収しなければならない。スライドレール１２上に一体的に形成された固定アーム２２は対応する張力と曲げ力を吸収することが出来る。
【００６９】
例えば、ネジクランプなどのクランプは、必要な機械的安定性を有し、一方で簡単に制作出来る本発明によって提供される。
【００７０】
圧力片４２は、保持領域４１と、接触表面４４が形成される接触領域７４を有している。接触領域７４は、スライドレール１２の厚さ方向に関して（上部外皮面３６と下部外皮面３８の間の）、保持領域４１よりも大きな幅を有するように形成することが出来る。この結果、十分に大きな接触表面４４および連続して接続された接触表面４４が提供される。
【００７１】
図５乃至７に示し、参照番号７６を付与したクランプの第二の例示的実施態様も、ネジクランプである。ネジクランプ７６は、圧力片７８以外、ネジクランプ１０と同じ方法で形成される。同じ参照番号を、同じ要素に使用する。
【００７２】
圧力片７８は、受入スペース８２を有する保持領域８０を有している。圧力片７８は、受入スペース８２によって、固定アーム２２の保持領域４０に取り付けられている。特に、圧力片７８は圧入される。
【００７３】
加えて、圧力片７８は、保持領域８０に位置して、特に保持領域と一体化する接触領域８４を有している。接触領域８４は、スライドレール１２から圧力片７８のもっとも大きな間隔を有する圧力片７８の上部端８６から、スライドレール１２の上に存在する端部８８まで延在する。単純にあるいは複合的に結合した接触領域９０は、接触領域８４に形成される。この接触領域９０は、スライドレール１２に対して横断的に、特に、垂直に位置している。接触領域９０は、上部端８６から、スライドレール１２まで延在して、スライドレール１２の内側面１８を超えている。端部８８において、また端部８８の近くで、圧力片７８は、圧力ロックおよび／または形状ロックによる嵌合によってスライドレール１２に接続することが出来る。
【００７４】
圧力片７８は、スライドレール１２まで延在する接触表面９０を提供する。
【００７５】
凹部９２をスライドレール１２の領域の中の接触領域８４に配置することが出来るが、その凹部９２に、スライドレール１２の対応する領域９４が、少なくとも部分的に位置する。
【００７６】
その他の点では、ネジクランプ７６は上記の様に作動する。
【図１】
2011524813.tif 000003
【図２】
2011524813.tif 000004
【図３】
2011524813.tif 000005
【図４】
2011524813.tif 000006
【図５】
2011524813.tif 000007
【図６】
2011524813.tif 000008
【図７】
2011524813.tif 000009
【国際調査報告】
2011524813.tif 000010
2011524813.tif 000011
2011524813.tif 000012
2011524813.tif 000013
2011524813.tif 000014
2011524813.tif 000015